(57)【要約】  【課題】  歯周組織および歯周ポケットの清掃、洗浄効果を高め、歯周ポケット内の環境改善を図る。  【解決手段】  スケーラ用チップ１の先端部１０４に２つの注水孔１０５を設け、水又は洗浄液を２方向に放出するように構成する。この場合、先端部１０４を半球形状に形成し、先端部１０４から所定の位置に、先端部からの距離を表示するガイドライン１０７を設けることが好ましい。また、スケーラ用チップ１に超音波のエネルギーを付加することが望ましい。【選択図】  図２
2006167330.tif 000002
【特許請求の範囲】
【請求項１】
水を導引する導水口と、前記導水口に連通し、水を放出する注水孔とを有する筒状の部材からなり、歯科用スケーラの先端に装着されて、前記歯科用スケーラの水回路に連通されるスケーラ用チップにおいて、
前記注水孔は前記筒状の部材の先端部周面に複数の方向に設けられることを特徴とするスケーラ用チップ。
【請求項２】
歯科用スケーラに超音波スケーラが採用される請求項１に記載のスケーラ用チップ。
【請求項３】
筒状の部材の先端部から所定の位置に、該先端部からの距離を表示するガイドラインを具備する請求項１又は２に記載のスケーラ用チップ。
【請求項４】
筒状の部材の先端部が略半球形状に形成される請求項１乃至３のいずれかに記載のスケーラ用チップ。
【請求項５】
筒状の部材の直径が異なる少なくとも２種類のタイプを備える請求項１乃至４のいずれかに記載のスケーラ用チップ。
【発明の詳細な説明】
【技術分野】
【０００１】
本発明は、歯周組織および歯周ポケットの清掃洗浄に使用するスケーラ用チップに関する。
【背景技術】
【０００２】
従来、口腔内の清掃洗浄に、シリンジや、専用の歯周ポケット洗浄器、超音波スケーラ、エアスケーラが使用されている。シリンジの場合、ノズルが着脱自在に装着され、このノズルを通じて水又は洗浄液を噴射し、口腔内を洗浄するようになっている。この場合、手動で洗浄が行われる。この種の技術は、例えば、特許文献１に記載されている。専用の歯周ポケット洗浄器、超音波スケーラ、エアスケーラの場合、先端部側方１個所に注水部を有するノズル及びチップがハンドピースに着脱可能に装着され、このノズル及びチップを通じて水又は洗浄液を放出し、口腔内を洗浄するようになっている。この種の技術は、例えば、特許文献２に記載されている。
【特許文献１】特開２００２−１５３４９５公報
【特許文献２】特開２００３−３３３７２公報
【発明の開示】
【発明が解決しようとする課題】
【０００３】
しかしながら、従来のシリンジや、専用の歯周ポケット洗浄器、超音波スケーラ、エアスケーラのチップでは、次のような問題がある。
（１）チップ先端から水又は洗浄液を真直ぐに出すため、歯周組織への刺激が強くなる。
（２）チップの先端部を歯周ポケットの深さに合わせて適切に挿入することが難しい。
【０００４】
本発明は、このような従来の問題を解決するもので、この種のスケーラ用チップにおいて、水又は洗浄液を歯周ポケット内に満遍なく行き亘らせること、歯周組織への刺激を軽減すること、歯周ポケット内の非付着性プラークを効果的に除去すること、チップ先端部を歯周ポケットの深さに合わせて適切に挿入すること、などを目的とする。
【課題を解決するための手段】
【０００５】
上記目的を達成するために、本発明のスケーラ用チップは、水を導引する導水口と、前記導水口に連通し、水を放出する注水孔とを有する筒状の部材からなり、歯科用スケーラの先端に装着され、前記歯科用スケーラの水回路に連通されるスケーラ用チップにおいて、前記注水孔は前記筒状の部材の先端部周面に複数の方向に設けられることを要旨とする。
【０００６】
本発明はまた、次のように具体化される。第１に、歯科用スケーラに超音波スケーラが採用される。第２に、筒状の部材の先端部から所定の位置に、該先端部からの距離を表示するガイドラインを具備する。第３に、筒状の部材の先端部が略半球形状に形成される。第４に、筒状の部材の直径が異なる少なくとも２種類のタイプを備える。
【発明の効果】
【０００７】
本発明のスケーラ用チップは、上記構成により、複数の方向に注水することができるので、水又は洗浄液を歯周ポケットや歯周組織に満遍なく行き亘らせることができる。また、複数の方向に注水することで、歯周組織への刺激を軽減することができる。さらに、超音波のエネルギーを付加することで、歯周ポケット内の非付着性プラークを効果的に除去することができるなど、洗浄能力を向上させることができる。また、このスケーラ用チップでは、ガイドラインを目安にして、チップ先端部を歯周ポケットの深さに合わせて適切に挿入することができ、安全で効果的な洗浄を行うことができる。さらに、チップ先端部が半球形状に形成されているので、チップ先端部で歯周組織を傷付けることなく、安全に使用することができる。またさらに、パイプ径の異なる少なくとも２種類のタイプを用意するので、歯周ポケットの状態に合わせてパイプ径を選択することで、歯周ポケットの状態に合わせた有効な清掃洗浄を行うことができる。
【発明を実施するための最良の形態】
【０００８】
以下、本発明のスケーラ用チップについて図１、図２及び図３を用いて説明する。図１において、４は歯科用スケーラであり、スケーラ本体２と、スケーラ本体２の後部に一体的に連結されるコード接続部３と、スケーラ本体２の先端に着脱可能に装着されるスケーラ用チップ１とを備える。この場合、歯科用スケーラ４に超音波スケーラが採用される。スケーラ本体２は外部がグリップ構造のハウジング２１により形成され、このハウジング２１内部に図示されない超音波振動子、水回路などが組み込まれる。また、ハウジング２１の先端にスケーラ用チップ１の取付部２２が設けられ、後端に超音波振動子、水回路の接続端２３が突出される。コード接続部３は、スケーラ本体２のハウジング２１に一体的に連結されるハウジング３１と、このハウジング３１に挿通固定され、超音波振動子や水回路に接続する電線、水供給用管を収束するフレキシブルコード３２とを有し、スケーラ本体２後部の接続端２３に離脱可能に取り付けられる。
【０００９】
スケーラ用チップ１はパイプ材により形成され、図２及び図３に示すように、パイプ径の異なる少なくとも２種類のタイプ１Ａ、１Ｂを備える。スケーラ用チップ１Ａ、１Ｂも、ステンレススチールなど金属製のパイプ材からなり、チップ本体１０１とその基端部に連続するチップ固定部２０１とにより構成される。図２に示す一方のスケーラ用チップ１Ａはチップ本体１０１が直径０．６ｍｍの円筒状のパイプ１０２（１０２Ａ）からなり、図３に示す他方のスケーラ用チップ１Ｂはチップ本体１０１が直径０．８ｍｍの円筒状のパイプ１０２（１０２Ｂ）からなり、それぞれチップ本体１０１内部に水又は洗浄液の通路１０３を有する。なお、これらのスケーラ用チップ１Ａ、１Ｂはパイプ径が異なるだけで、各部の基本構成は共通なので、以下、両者を区別することなく、まとめて各部の構成について詳述する。
【００１０】
チップ本体１０１はパイプ１０２の先端部１０４が略半球形状に形成されて閉塞され、先端部１０４の周面に複数の方向の注水孔１０５が穿たれる。この場合、先端部１０４の周面に２つの注水孔１０５が対称的に設けられ、これらの注水孔１０５がそれぞれ、先端部１０４の延びる方向に対して側方へ略４５度の方向に向けて斜めに形成される。なお、基端部１０６は導水口で開口され、各注水孔１０５がこの導水口１０６に連通される。また、チップ本体１０１の先端部１０４から基端部１０６方向所定の位置に、先端部１０４からの距離を表示するガイドライン１０７が設けられる。この場合、ガイドライン１０７は先端部１０４から６ｍｍの位置に基端部１０６に向けて３ｍｍの長さに亘ってマークを付したもので、その付け方は任意である。
【００１１】
チップ固定部２０１は、チップ本体１０１に連続するＲ形形状部２０２と、これに連続し、スケーラ本体２の取付部２２に装着可能な、レンチ掛け部を有する固定部２０３とからなり、このチップ固定部２０１内部にチップ本体１０１内部の水又は洗浄液の通路１０３とスケーラ本体２内部の水通路とを連通する水又は洗浄液の通路２０４を有する。なお、このチップ固定部２０１に、チップ本体１０１の基端部１０６が接着剤を塗布されて挿入され、かしめられる。
【００１２】
これらのスケーラ用チップ１（１Ａ、１Ｂ）は、使用に際して、図１に示すように、スケーラ本体２先端の取付部２２に装着され、この結合によりスケーラ用チップ１とスケーラ本体２の超音波振動子とを作動連結され、またスケーラ用チップ１の水又は洗浄液の通路２０４とスケーラ本体２の水通路が連通される。このようにして図示されない操作スイッチをОＮ操作すると、スケーラ本体２の超音波振動子が駆動され、また、水供給源又は洗浄液供給源から水又は洗浄液がスケーラ本体２の水回路を通じて、スケーラ用チップ１の水又は洗浄液の通路２０４、１０３に送給される。
【００１３】
次に、このスケーラ用チップ１を歯科用スケーラ（超音波スケーラ）に使用し、特に歯周組織および歯周ポケットを清掃洗浄する場合の、スケーラ用チップ１の取り扱い上の機能及び動作上の機能について、図１乃至図３、さらに図４を選択的に用いて説明する。
【００１４】
このスケーラ用チップ１の使用に際し、清掃洗浄対象の歯周ポケットの状態に合わせて、図２又は図３に示すパイプ径の異なるスケーラ用チップ１Ａ又は１Ｂを適宜選択し、歯周ポケットの状態に合わせた清掃、洗浄を行う。このスケーラ用チップ１Ａ又は１Ｂを、既述のとおり、図１に示すように、スケーラ本体２先端の取付部２２に装着する。歯周ポケットの清掃洗浄の作業に当たり、スケーラ用チップ１Ａ又は１Ｂを歯周ポケットに差し込むが、この場合に、スケーラ用チップ１を、ガイドライン１０７を目安にして、歯周ポケットに挿入すればよく、スケーラ用チップ１を歯周ポケットの深さに合わせて適切に差し込むことができる。さらに、チップ本体１０１の先端部１０４の形状が半球形になっているので、歯周ポケット内を傷付けることがなく、作業を安全に行うことができる。このようにして、スケーラ用チップ１を歯周ポケットに挿入し、図示されない操作スイッチをОＮにする。
【００１５】
この操作スイッチのОＮにより、既述のとおり、スケーラ本体２の超音波振動子が駆動され、また、水又は洗浄液がスケーラ用チップ１の水又は洗浄液の通路２０４、１０３へ送られる。このОＮ動作により、歯周ポケット内では、図４に示すように、チップ本体１０１先端部の２つの注水孔１０５から、水又は洗浄液を先端部１０４に対して両側方４５度の２方向に放出する。この２点の注水により、歯周組織に対する刺激が軽減され、水又は洗浄液は歯周ポケット内に満遍なく行き届き、歯周ポケット内を有効に清掃、洗浄する。この場合、スケーラ用チップ１に超音波のエネルギーを付加しているので、歯周ポケット内の非付着性プラークを効果的に除去できる。
【００１６】
以上、説明したように、このスケーラ用チップ１によれば、チップ本体１０１の先端部１０４に２つの注水孔１０５を設け、これらの注水孔１０５から水又は洗浄液を２方向に放出するので、水又は洗浄液を歯周ポケット内に満遍なく行き亘らせることができ、また歯周組織に対する刺激を軽減することができる。さらに、このスケーラ用チップ１を超音波スケーラに装着し、超音波のエネルギーを付加することで、歯周ポケット内の非付着性プラークを効果的に除去することができるなど、清掃、洗浄能力を向上させることができる。
【００１７】
また、このスケーラ用チップ１では、チップ本体１０１にガイドライン１０７を設けているので、これを目安にして、チップ本体１０１の先端部１０４を歯周ポケットの深さに合わせて適切に挿入することができ、安全で効果的な洗浄を行うことができる。さらに、チップ本体１０１の先端部１０４を半球形状に形成しているので、チップ本体１０１の先端部１０４で歯周組織を傷付けることなく、安全に使用することができる。またさらに、パイプ径の異なる２種類のタイプ１Ａ、１Ｂを用意しているので、歯周ポケットの状態に合わせて、パイプ径を選択することで、歯周ポケットの状態に合わせた有効な清掃洗浄を行うことができる。このスケーラ用チップ１により、歯周組織および歯周ポケットの清掃、洗浄効果を高め、歯周ポケット内の環境改善を図ることができる。
【図面の簡単な説明】
【００１８】
【図１】本発明のスケーラ用チップ及びこれを装着する超音波スケーラを示す平面図
【図２】同スケーラ用チップ（パイプ径０．６ｍｍタイプ）の一部破断拡大側面図
【図３】同スケーラ用チップ（パイプ径０．８ｍｍタイプ）の一部破断拡大側面図
【図４】同スケーラ用チップの動作中の要部拡大正面図
【符号の説明】
【００１９】
１（１Ａ、１Ｂ）  スケーラ用チップ
１０１  チップ本体
１０２（１０２Ａ、１０２Ｂ）  パイプ
１０３  水又は洗浄液の通路
１０４  先端部
１０５  注水孔
１０６  基端部
１０７  ガイドライン
２０１  チップ固定部
２０２  Ｒ形形状部
２０３  固定部
２０４  水又は洗浄液の通路
２  スケーラ本体
２１  ハウジング
２２  取付部
２３  接続端
３  コード接続部
３１  ハウジング
３２  フレキシブルコード
４  歯科用スケーラ
【図１】
2006167330.tif 000003
【図２】
2006167330.tif 000004
【図３】
2006167330.tif 000005
【図４】
2006167330.tif 000006